(57)【要約】【課題】印刷コストが高騰せず、修正が簡便かつ迅速に行え、贈答者や被贈答者の好みを強く反映させることができるギフト用カタログを提供する。【解決手段】ギフト用カタログ１は、商品紹介写真掲載パンフレット２と、互いに異なる商品価格があらかじめ割り当てられている複数の商品数量表示パンフレット３Ａ〜３Ｃで構成された価格別商品数量表示パンフレットセット３とからなると共に、各商品数量表示パンフレット３Ａ〜３Ｃには、割り当てられた商品価格に対応する商品と、配送される該商品の数量とが分類群ごとに分別されて記載されている。【選択図】図１
0003167074.tif 000002
【実用新案登録請求の範囲】
【請求項１】
取り扱い商品が一種類に限定されており、かつ該取り扱い商品が、あらかじめ定められた複数の分類群ごとに分別されており、商品注文者によって前記複数の分類群のうちいずれかの分類群が選択されることにより該分類群に対応した商品が注文可能となっているギフト用カタログであって、
前記取り扱い商品に基づく商品紹介写真が前記分類群ごとに分別されて掲載されている商品紹介写真掲載パンフレットと、
互いに異なる商品価格があらかじめ割り当てられている複数の商品数量表示パンフレットで構成された価格別商品数量表示パンフレットセットと
からなると共に、
各商品数量表示パンフレットには、割り当てられた商品価格に対応する商品と、配送される該商品の数量とが前記分類群ごとに分別されて記載されており、
前記商品紹介写真掲載パンフレット、及び前記価格別商品数量表示パンフレットセットのいずれかの商品数量表示パンフレットが商品注文者に配布されてなり、該商品注文者によって注文された商品が、該商品数量表示パンフレットに記載された数量に従って該商品注文者に配送されるものとなっている
ことを特徴とするギフト用カタログ。
【請求項２】
注文した商品が複数回に分けて商品注文者に配送される頒布会制に対応した構成であって、
前記商品数量表示パンフレットには、各回に配送される商品と、各回に配送される該商品の数量とが記載されていると共に、
前記複数回に分けて配送される商品の分類群は全体で少なくとも二以上とされている
請求項１に記載のギフト用カタログ。
【請求項３】
商品注文者に配布される前記商品紹介写真掲載パンフレット及び前記商品数量表示パンフレットが収容される包装用収容体を備えている
請求項１又は請求項２に記載のギフト用カタログ。
【請求項４】
前記取り扱い商品に基づく商品紹介写真が掲載されている商品紹介用パネル板を備え、該商品紹介用パネル板の仕上がり寸法が前記商品紹介写真掲載パンフレットの仕上がり寸法よりも大きい
請求項１乃至請求項３のいずれか１項に記載のギフト用カタログ。
【請求項５】
前記複数の分類群は、前記商品の商品ブランドに基づいてあらかじめ定められた複数のブランド群である
請求項１乃至請求項４のいずれか１項に記載のギフト用カタログ。
【請求項６】
前記複数の分類群は、前記商品にかかるサービスが提供される地域に基づいてあらかじめ定められた複数の地域群である
請求項１乃至請求項４のいずれか１項に記載のギフト用カタログ。
【考案の詳細な説明】
【技術分野】
【０００１】
本発明は、例えば贈答品として利用されるギフト用カタログに関する。
【背景技術】
【０００２】
近年、例えば結婚式の引き出物のような贈答品として、ギフト用カタログが非常によく利用されている。このギフト用カタログにあっては、贈答者（例えば新郎新婦）が被贈答者（結婚式出席者）に該ギフト用カタログを贈答し、受け取った被贈答者が該ギフト用カタログを閲覧して多数の商品群のなかから欲しい商品を選択し、これを所定の方法に従って注文し、後日該商品を実際に受け取る構成である。一般的に、前記カタログは、あらかじめ複数の商品価格ごとに冊子が作製されており、各カタログには、設定された商品価格に応じた商品が掲載されている。例えば、８千円相当の商品が取り扱われているカタログ、以下同様に、１万円相当、３万円相当、又は５万円相当のカタログというようにしてあらかじめ価格別に印刷製本されて準備されており、これらのうちいずれかのカタログが贈答者によって購入され、該カタログが被贈答者に贈答される。
【０００３】
また、従来のカタログは、あらゆる商品注文者の好みに対応できるよう、多種多様な商品が掲載されており、豊富な品揃えとなっていることが一般的である。
【先行技術文献】
【特許文献】
【０００４】
【特許文献１】実用新案登録第３１３０３３５号
【考案の概要】
【考案が解決しようとする課題】
【０００５】
しかしながら、ギフト用カタログを作製又は在庫管理する者としては、商品価格ごとに別々の内容で編集し、さらにこれらのカタログ冊子を多数印刷してそれぞれ価格別に在庫管理しておく必要があり、印刷部数が大量となり、また在庫管理の負担も大きく、全体としてコスト高となる問題があった。
【０００６】
また、例えば設定した商品価格あるいは商品数量を、印刷製本後に変更したい場合、変更箇所の多少に関わらず印刷済みのカタログ冊子をほぼ全てのページにわたって編集し直し、かつ印刷製本し直さなければならなかった。これは、非常に手間や時間がかかり、この点もコスト高の原因となっていた。
【０００７】
さらに、ひとつのカタログ内に多種多様な商品が掲載されているため、かえって、贈答者の好みや被贈答者の好みあるいは贈答者から被贈答者への気持ちを反映させにくい贈り物となっていて、本来贈答者と被贈答者との間に生ずるはずの他にない特別な思いが没却されやすく、形式的で感動の薄い贈り物となってしまうおそれもあった。
【０００８】
そこで本考案は、前記した従来構成の問題点を解消するためになされたものであり、内容変更の手間や印刷コストの高騰を抑制でき、しかも贈答者や被贈答者の好みを強く反映させた贈り物とすることができるギフト用カタログを提供することを目的とするものである。
【課題を解決するための手段】
【０００９】
本考案は、取り扱い商品が一種類に限定されており、かつ該取り扱い商品が、あらかじめ定められた複数の分類群ごとに分別されており、商品注文者によって前記複数の分類群のうちいずれかの分類群が選択されることにより該分類群に対応した商品が注文可能となっているギフト用カタログであって、前記取り扱い商品に基づく商品紹介写真が前記分類群ごとに分別されて掲載されている商品紹介写真掲載パンフレットと、互いに異なる商品価格があらかじめ割り当てられている複数の商品数量表示パンフレットで構成された価格別商品数量表示パンフレットセットとからなると共に、各商品数量表示パンフレットには、割り当てられた商品価格に対応する商品と、配送される該商品の数量とが前記分類群ごとに分別されて記載されており、前記商品紹介写真掲載パンフレット、及び前記価格別商品数量表示パンフレットセットのいずれかの商品数量表示パンフレットが商品注文者に配布されてなり、該商品注文者によって注文された商品が、該商品数量表示パンフレットに記載された数量に従って該商品注文者に配送されるものとなっていることを特徴とするギフト用カタログである。
【００１０】
前記ギフト用カタログにあっては、カタログ業者が贈答者に求めに応じて価格別商品数量表示パンフレットセットのなかからいずれかの商品数量表示パンフレットを選択し、被贈答者に前記商品紹介写真掲載パンフレットと、選択した商品数量表示パンフレットとを配送する。そして、これを受け取った被贈答者（すなわち商品注文者）は、該商品紹介写真掲載パンフレットと該商品数量表示パンフレットとを閲覧しつつ欲しい商品の分類群を選択し、選んだ分類群に対応する商品を注文する。このように本考案は、商品説明の目的で作製された商品紹介写真掲載パンフレットと、配送時にどれだけの数量の商品が届けられるのか説明する目的で作製された商品数量表示パンフレットとで構成されていることを大きな特徴としている。このため、前記商品紹介写真掲載パンフレットを各商品数量表示パンフレットに対して共通に使用することができるため、単独の商品紹介写真掲載パンフレットを作製するだけであるのに、あらゆる価格帯に対応可能なギフト用カタログとすることができる。したがって、本考案によれば、全体として作製コストを飛躍的に低減したギフト用カタログを提供することができる。
【００１１】
また、仮に商品数量表示パンフレットの商品数量等に内容変更が生じたとしても、その変更箇所だけ修正して該パンフレットのみを再印刷するだけでよいため、商品紹介写真掲載パンフレットについては一切修正を加える必要がない。このため、本考案は簡便かつ迅速に内容修正できる利点があると共に、印刷コストも飛躍的に抑制することができる。
【００１２】
また、注文した商品が複数回に分けて商品注文者に配送される頒布会制に対応した構成であって、前記商品数量表示パンフレットには、各回に配送される商品と、各回に配送される該商品の数量とが記載されていると共に、前記複数回に分けて配送される商品の分類群は全体で少なくとも二以上とされているものであってもよい。
【００１３】
上記構成とすると、商品注文者は複数の分類群の商品を複数回に分けて受け取ることができる。このため、本考案のギフト用カタログは、適量かつバリエーション豊かな商品提供が可能となる。
【００１４】
さらに、商品注文者に配布される前記商品紹介写真掲載パンフレット及び前記商品数量表示パンフレットが収容される包装用収容体を備えている構成としてもよい。
【００１５】
上記構成とすることにより、例えば該包装用収容体の表面に贈答者が様々な装飾を独自に施して被贈答者に贈答することが可能となり、贈答者や被贈答者の好みを強く反映させたメッセージ性の強い贈り物とすることができる。
【００１６】
さらに、前記取り扱い商品に基づく商品紹介写真が掲載されている商品紹介用パネル板を備え、該商品紹介用パネル板の仕上がり寸法が前記商品紹介写真掲載パンフレットの仕上がり寸法よりも大きくなるように設定されている構成としてもよい。
【００１７】
上記構成にあっては、該ギフト用カタログを景品としたイベント会場において、イベント主催者やイベント幹事が、例えばＡ３サイズの前記商品紹介用パネル板を掲げながらイベントを演出実行することにより、景品対象となっている商品がイベント参加者に瞬時にアピールすることができ、イベントが盛況となる利点がある。
【００１８】
なお、前記複数の分類群は、前記商品の商品ブランドに基づいてあらかじめ定められた複数のブランド群であってもよいし、前記商品にかかるサービスが提供される地域（日本国内または日本国外でもよい）に基づいてあらかじめ定められた複数の地域群であってもよい。
【考案の効果】
【００１９】
本考案は、印刷コストが高騰することを抑制でき、しかもカタログの記載内容の修正が低コストで簡便かつ迅速に行え、さらには贈答者や被贈答者の好みを強く反映させた贈り物とすることができる優れた効果がある。
【図面の簡単な説明】
【００２０】
【図１】（ａ）はギフト用カタログ１の全体を示す説明図であり、（ｂ）はギフト用カタログ１の使用形態の一例を示す説明図である。
【図２】商品紹介写真掲載カタログ２の表紙を示す説明図である。
【図３】商品紹介写真掲載カタログ２において商品写真１２が掲載された頁を示す説明図である。
【図４】第一の商品数量表示パンフレット３Ａを示す説明図である。
【図５】第二の商品数量表示パンフレット３Ｂを示す説明図である。
【図６】第三の商品数量表示パンフレット３Ｃを示す説明図である。
【図７】頒布会制に対応した商品数量表示パンフレット６の説明図である。
【考案を実施するための形態】
【００２１】
本考案のギフト用カタログの実施例を、図１〜図７に基づいて説明する。なお、以下に示される実施例は、取り扱い商品が肉に限定されているギフト用カタログ１であるが、該取り扱い商品は、一種類に限定されるという条件の下、適宜変更可能であることは勿論である。また、本考案のあらかじめ定められた複数の分類群は、本実施例において前記商品の商品ブランドに基づいてあらかじめ定められた複数のブランド群である
【００２２】
図１に示すように、ギフト用カタログ１は、商品紹介写真掲載パンフレット２と、価格別商品数量表示パンフレットセット３とで構成されている。
【００２３】
図２，３に示すように、前記商品紹介写真掲載パンフレット２は、冊子の形態となっており、前沢牛、飛騨牛などの商品ブランドに基づいて定められたブランド群（分類群）１１ごとに分別されて取り扱い商品である肉の写真１２が掲載されている。
【００２４】
前記価格別商品数量表示パンフレットセット３は、図１に示すように、例えば３つの商品数量表示パンフレット３Ａ〜３Ｃで構成されている。そして、該第一の商品数量表示パンフレット３Ａ（図４参照）には、８千円の商品価格が割り当てられており、該第一の商品数量表示パンフレット３Ａには、８千円相当の商品が掲載されている。以下同様に、第二の商品数量表示パンフレット３Ｂ（図５参照）には１万円の商品価格が割り当てられており、第三の商品数量表示パンフレット３Ｃ（図６参照）には１万５千円の商品価格が割り当てられている。
【００２５】
上記第一の商品数量表示パンフレット３Ａについてさらに詳述すると、該第一の商品数量表示パンフレット３Ａには、各ブランド群（分類群）１３の名称とこれに対応する肉の写真、商品説明、調理法、又は肉の部位などが表示されている。さらに、８千円という前記商品価格に基づいて定められた肉のグラム数（数量）１４が記載されている。例えば、図４において、松阪牛（登録商標、以下同じ）というブランド群１３に属する「焼／もも」の肉は４００ｇに設定されている。
【００２６】
次に、上記ギフト用カタログ１の流通形態について説明する。
上記ギフト用カタログ１において、カタログ業者は、贈答者（例、新郎新婦）からの求めに応じて上記価格別商品数量表示パンフレットセット３のなかから例えば第一の商品数量表示パンフレット３Ａを選択し、上記商品紹介写真掲載パンフレット２と該第一の商品数量表示パンフレット３Ａとを箱型の包装用収容体４（図１（ｂ）参照）内に収容して、被贈答者（例、結婚式出席者）に向けて配送する。仮に贈答者が１万円の商品価格に対応した商品を贈答したい場合は、第二の商品数量表示パンフレット３Ｂが選択される。なお、前記包装用収容体４には、図１（ｂ）に示すように贈答者が被贈答者に向けて伝えたいオリジナルなメッセージ５や写真等が装飾的に付されている。
【００２７】
そして、該包装用収容体４を受け取った被贈答者（即ち商品注文者）は、該商品紹介写真掲載パンフレット２と第一の商品数量表示パンフレット３Ａとを閲覧し、複数のブランド群１３のうちいずれかのブランド群１３を選択して、そのブランド群１３に対応した商品としての肉を所定の注文方式に従って注文する。そして該注文を受け取ったカタログ業者あるいは商品発送担当業者は、該第一の商品数量表示パンフレット３Ａに記載された注文商品に対応するグラム数（数量）に従って商品注文者に商品としての肉を配送する。
【００２８】
このようなギフト用カタログ１とすると、仮に商品数量表示パンフレット３Ａ〜３Ｃの商品数量等に内容変更が生じたとしても、その変更箇所だけ修正して該商品数量表示パンフレット３Ａ〜３Ｃのみを再印刷するだけでよいため、商品紹介写真掲載パンフレット２については一切修正を加える必要がない。このため、上記ギフト用カタログ１は、簡便かつ迅速に内容修正できる利点があると共に、印刷コストも飛躍的に抑制できる。
【００２９】
次に、注文した商品が複数回に分けて商品注文者に配送されるいわゆる頒布会制に対応した商品数量表示パンフレット６を図７に従って説明する。
【００３０】
図７に示す商品数量表示パンフレット６には、２０万円の商品価格が割り当てられており、該商品価格に対応する商品としての肉が複数回に分けて配送される。具体的には、松阪牛・飛騨牛（登録商標、以下同じ）のブランド群１３において、例えば一回目は６００ｇの松阪牛が配送され、例えば五回目の配送は１ｋｇの飛騨牛が配送されるようになっている。なお、頒布会制に従って配送される際に、各回において肉の部位が異なるようにして配送されるようにしてもよい。
【００３１】
上記構成とすると、商品注文者は複数の商品ブランドの商品を複数回に分けて適量に受け取ることができる。
【００３２】
上記した実施形態は一例に過ぎず、その他様々に設計変更することができる。
【００３３】
例えば、本考案のギフト用カタログ１に適した取り扱い商品としては、米、酒、又は蟹などがあり、要はその商品が複数の商品ブランド（複数の産地など）を有し、かつ商品価格の多寡に応じて該商品の重量、長さ、数などの数量が比例して変動するものが好適に採用される。
【００３４】
また、上記商品紹介写真掲載パンフレット２及び商品数量表示パンフレット３Ａ〜３Ｃをデータ化してＣＤあるいはＤＶＤなどの情報記録媒体の形態で被贈答者に贈答し、被贈答者すなわち商品注文者はいわゆるパソコンを使って上記パンフレット２，３を閲覧する構成としてもよい。また、このような構成とした場合、パソコンで閲覧しつつ、その画面表示とリンクした特定のホームページにインターネット回線を介して閲覧可能とし、贈答者と被贈答者との間柄ならではの面白みのある演出を該ホームページ上で行ってもよい。
【００３５】
また、上記ギフト用カタログ１の利用形態は様々であり、該ギフト用カタログ１に会社案内や、個人の思い出等を掲載した印刷物や記録媒体等を付属させて贈答するようにしてもよいし、例えばＣＤジャケットやＤＶＤジャケットの装飾を贈答者が独自に作製して配布するようにしてもよい。
【００３６】
また、上記商品は、エステサービス券、旅行券、又は宿泊券などの体験を主目的とするいわゆる体験型の商品であっても勿論よい。このような体験型の商品を対象としたギフト用カタログ１にあっては、該商品にかかるサービスが提供可能な地域に基づいて複数の地域群を定め、該複数の地域群によって該商品が分別されて掲載されている構成とすることができる。さらに、体験型の商品を取り扱い商品とした場合において、該商品はサービスを享受できる地域が限定されるという性質があるため、この点を考慮し、該商品にかかるサービスが提供可能な地域を初めから絞り込んで編集した地域限定のギフト用カタログ１としてもよい。例えば東海地方でサービスの提供を受けることができる商品のみが掲載されている東海版ギフト用カタログ１を作製し、これを東海地方在住の商品注文者に贈答する構成が提案されうる。これにより、商品注文者は、現実的に無理なく注文した商品にかかるサービスをその提供場所まで出向いて体験することができる。また、地域限定のギフト用カタログ１を作製する業者にとっては、不必要な情報（例えば遠隔地でしか体験できないような商品の情報）を排除してギフト用カタログ１を作製することができるため、飛躍的に印刷コストを低減できる。なお、このような体験型の商品を取り扱い商品とした場合、その商品数量としては、サービス時間、宿泊日数、旅行回数などとすることができる。
【００３７】
さらに、前記取り扱い商品に基づく商品紹介写真が掲載されている商品紹介用パネル板を備えたギフト用カタログ１としてもよい。該商品紹介用パネル板は、該ギフト用カタログ１を景品としたイベント会場において、イベント主催者やイベント幹事あるいはイベント司会者が使用可能である。例えば該商品紹介用パネル板の寸法をほぼＡ３サイズとし、前記イベント司会者が該商品紹介用パネル板を掲げながらイベントを演出実行することにより、景品対象となっている商品がイベント参加者に対して瞬時にアピールすることができる。なお、イベント会場において景品対象を紹介する手段としては、上記した前記商品紹介写真掲載パンフレット２を掲げることも考えられるが、少なくとも商品紹介写真掲載パンフレット２の仕上がり寸法より大きい仕上がり寸法の商品紹介用パネルを用いた方が、イベントをより一層盛況とすることができる。
【符号の説明】
【００３８】
１          ギフト用カタログ
２          商品紹介写真掲載パンフレット
３          価格別商品数量表示パンフレットセット
３Ａ〜３Ｂ  商品数量表示パンフレット
４          包装用収容体
５          メッセージ
６          頒布会用商品数量表示パンフレット
１１，１３  ブランド群（分類群）
１２        商品紹介写真
１４        商品数量
【図１】
0003167074.tif 000003
【図２】
0003167074.tif 000004
【図３】
0003167074.tif 000005
【図４】
0003167074.tif 000006
【図５】
0003167074.tif 000007
【図６】
0003167074.tif 000008
【図７】
0003167074.tif 000009
【手続補正書】
【提出日】平成23年1月31日(2011.1.31)
【手続補正１】
【補正対象書類名】図面
【補正対象項目名】図２
【補正方法】変更
【補正の内容】
【図２】
0003167074.tif 000010
【手続補正２】
【補正対象書類名】図面
【補正対象項目名】図４
【補正方法】変更
【補正の内容】
【図４】
0003167074.tif 000011
【手続補正３】
【補正対象書類名】図面
【補正対象項目名】図５
【補正方法】変更
【補正の内容】
【図５】
0003167074.tif 000012
【手続補正４】
【補正対象書類名】図面
【補正対象項目名】図６
【補正方法】変更
【補正の内容】
【図６】
0003167074.tif 000013
【手続補正５】
【補正対象書類名】図面
【補正対象項目名】図７
【補正方法】変更
【補正の内容】
【図７】
0003167074.tif 000014